(57)【要約】【課題】表示パネルの後方に配置されたスピーカから放出された音を、効率よく表示パネルの前側に導くことができる表示装置を提供する。【解決手段】表示装置１００は、表示パネル１０と、表示パネル１０の背面側に設けられるスピーカ２１と、表示パネル１０の外周部を前面側から覆う前面部材３１と、表示パネル１０を背面側から覆う背面部材３２とを有する筐体３０と、表示パネル１０の後方にスピーカ２１の音が放出されるように、スピーカ２１を固定する固定部材２２とを備え、固定部材２２および背面部材３２は、スピーカ２１の音を表示パネル１０の側方の第１方向Ｄ１に導き、さらに表示パネル１０の前側の第２方向Ｄ２に向けて導く導音空間Ｓ１を形成し、導音空間Ｓ１では背面部材３２のスピーカに対向する対向領域３２ａと、スピーカ２１から放出される音の放出方向Ｄ３に対して垂直な仮想面Ａ１とが、放出方向Ｄ３が第１方向Ｄ１側を向くように交差する。【選択図】図４
2014171049.tif 000002
【特許請求の範囲】
【請求項１】
前面に画像を表示する表示パネルと、
前記表示パネルの背面側に設けられるスピーカと、
前記表示パネルの少なくとも外周部を前面側から覆う前面部材と、前記表示パネルを背面側から覆い、かつ、前記前面部材に接合される背面部材と、を有する筐体と、
前記表示パネルの後方に向けて前記スピーカの音が放出されるように、前記表示パネルと前記背面部材との間に前記スピーカを固定する固定部材と、
を備え、
前記固定部材および前記背面部材は、前記スピーカから放出される音を前記表示パネルの側方の第１方向に導き、前記第１方向に導いた音をさらに前記表示パネルの前側の方向に向けて導く導音空間を、前記固定部材および前記背面部材の間に形成し、
前記導音空間では、少なくとも、前記背面部材のうちの前記スピーカに対向する対向領域と、前記スピーカから放出される音の放出方向に対して垂直な仮想面とが、前記放出方向が前記第１方向側を向くように交差する
表示装置。
【請求項２】
前記背面部材の前記対向領域は、前記表示パネルに対して平行であり、
前記固定部材は、前記仮想面が前記表示パネルに対して傾斜するように、前記スピーカを保持する
請求項１に記載の表示装置。
【請求項３】
前記背面部材の前記対向領域は、前記表示パネルに対して傾斜しており、
前記固定部材は、前記仮想面が前記表示パネルに対して平行になるように、前記スピーカを保持する
請求項１に記載の表示装置。
【請求項４】
前記固定部材は、前記表示パネルの背面側の少なくとも一部を覆い、かつ、前記スピーカが固定される背面部と、前記背面部に連続して形成され、前記表示パネルの側面側の少なくとも一部とを覆う側面部とを有し、
前記背面部材は、前記固定部材の前記表示パネルの側とは反対側を覆い、
前記固定部材および前記背面部材の少なくとも一方は、前記導音空間の音を導く方向以外の方向に音が進行することを防ぐ壁部を有する
請求項１から３のいずれか１項に記載の表示装置。
【請求項５】
前記壁部は、前記表示パネルの背面側において、前記スピーカの周囲のうちの、前記第１方向以外の部分に設けられる第１壁部と、前記表示パネルの側方において、前記第１壁部に連続して形成され、前記表示パネルおよび前記背面部材の並び方向に延びる第２壁部とを有する
請求項４に記載の表示装置。
【請求項６】
前記固定部材は、前記壁部において、前記表示パネルと前記背面部材とにより挟み込まれることにより固定される
請求項４または５に記載の表示装置。
【請求項７】
前記固定部材および前記背面部材は、前記壁部において密着している
請求項４から６のいずれか１項に記載の表示装置。
【請求項８】
前記固定部材および前記背面部材は、前記壁部においてクッション部材を介して密着する
請求項７に記載の表示装置。
【請求項９】
前記導音空間は、出口側に行く程、広く形成されている
請求項１から８のいずれか１項に記載の表示装置。
【請求項１０】
前記前面部材は、前記表示パネルの少なくとも外周部を覆うとともに、前記前面部材の一部が前記導音空間の出口側に配置され、
前記前面部材の前記一部には、開口部が形成される
請求項１から９のいずれか１項に記載の表示装置。
【請求項１１】
前記開口部は、前側に行く程大きくなる
請求項１０に記載の表示装置。
【請求項１２】
前記表示パネルは矩形状であり、
前記前面部材および前記固定部材は、前記表示パネルの表示面の外周の辺のうち、前記第１方向側に位置する辺が延びる方向に前記固定部材が移動することを規制する規制部を有する
請求項１０または１１に記載の表示装置。
【請求項１３】
前記背面部材は、前記導音空間を形成する部分が前記導音空間を形成しない他の部分よりも剛性が大きい
請求項１から１２のいずれか１項に記載の表示装置。
【発明の詳細な説明】
【技術分野】
【０００１】
本発明は、表示パネルの後方にスピーカが配置される表示装置に関する。
【背景技術】
【０００２】
従来、液晶表示パネルの背面とハウジングの背板部との間に振動素子（スピーカ）を設けることにより、液晶表示パネルの表示面の面積と同程度に小さくした表示モジュールがある（特許文献１参照）。この表示モジュールには、スピーカの発生音を液晶表示パネルの観察側（つまり前側）に放出するための導音空間が形成されている。この表示モジュールでは、この導音空間を形成することにより、液晶表示パネルの背面にスピーカが配置されるような形態であっても、スピーカの発生音を液晶表示パネルの前側への効率よい放音を図っている。
【先行技術文献】
【特許文献】
【０００３】
【特許文献１】特許第４２３７７４８号公報
【発明の概要】
【発明が解決しようとする課題】
【０００４】
しかしながら、特許文献１に記載の表示モジュールの構成では、スピーカの発生音を十分に液晶表示パネルの前側へ導くことは難しい。
【０００５】
そこで、本発明の目的は、かかる問題に鑑みてなされたものであって、表示パネルの後方に配置されたスピーカから放出された音を、効率よく表示パネルの前側に導くことができる表示装置を提供することにある。
【課題を解決するための手段】
【０００６】
上記目的を達成するために、本発明の一態様に係る表示装置は、前面に画像を表示する表示パネルと、前記表示パネルの背面側に設けられるスピーカと、前記表示パネルの少なくとも外周部を前面側から覆う前面部材と、前記表示パネルを背面側から覆い、かつ、前記前面部材に接合される背面部材と、を有する筐体と、前記表示パネルの後方に向けて前記スピーカの音が放出されるように、前記表示パネルと前記背面部材との間に前記スピーカを固定する固定部材と、を備え、前記固定部材および前記背面部材は、前記スピーカから放出される音を前記表示パネルの側方の第１方向に導き、前記第１方向に導いた音をさらに前記表示パネルの前側の方向に向けて導く導音空間を、前記固定部材および前記背面部材の間に形成し、前記導音空間では、少なくとも、前記背面部材のうちの前記スピーカに対向する対向領域と、前記スピーカから放出される音の放出方向に対して垂直な仮想面とが、前記放出方向が前記第１方向側を向くように交差する。
【０００７】
これによれば、スピーカにより表示パネルの後方に向けて放出される音が、導音空間により、表示パネルの表示面の側方の第１方向に導かれ、かつ、第１方向に導かれた音がさらに表示パネルの前側の方向に向けて導かれる。そして、導音空間において、少なくとも、背面部材のうちのスピーカに対向する対向領域と、スピーカから放出される音の放出方向に対して垂直な仮想面とが、放出方向が第１方向側を向くように交差する。
【０００８】
このため、導音空間では、スピーカにより放出された音が進む放出方向と、対向領域とが、第１方向側が鈍角になるように交差する。つまり、スピーカにより放出された音は、対向領域において、第１方向に向けて反射されやすい。これにより、表示パネルの後方に向けてスピーカから放出された音は、第１方向に向けて導かれやすくなる。また、導音空間は、第１方向に向けて効率よく導いた音を、さらに、前方に向けて導いているため、表示パネルの後方に配置されたスピーカから放出された音を、効率よく表示パネルの前側に導くことができる。
【０００９】
また、例えば、前記背面部材の前記対向領域は、前記表示パネルに対して平行であり、前記固定部材は、前記仮想面が前記表示パネルに対して傾斜するように、前記スピーカを保持しても良い。
【００１０】
また、例えば、前記背面部材の前記対向領域は、前記表示パネルに対して傾斜しており、前記固定部材は、前記仮想面が前記表示パネルに対して平行になるように、前記スピーカを保持しても良い。
【００１１】
また、例えば、前記固定部材は、前記表示パネルの背面側の少なくとも一部を覆い、かつ、前記スピーカが固定される背面部と、前記背面部に連続して形成され、前記表示パネルの側面側の少なくとも一部とを覆う側面部とを有し、前記背面部材は、前記固定部材の前記表示パネルの側とは反対側を覆い、前記固定部材および前記背面部材の少なくとも一方は、前記導音空間の音を導く方向以外の方向に音が進行することを防ぐ壁部を有しても良い。
【００１２】
これによれば、固定部材および背面部材の少なくとも一方に、導音空間の音を導く方向（つまり、第１方向の後に前方の方向）以外の方向に音が進行することを防ぐ壁部を有する。このため、表示装置では、導音空間がスピーカから導音空間の内部に放出された音を、効率よく表示パネルの前側に向けて導くことができる。
【００１３】
また、例えば、前記壁部は、前記表示パネルの背面側において、前記スピーカの周囲のうちの、前記第１方向以外の部分に設けられる第１壁部と、前記表示パネルの側方において、前記第１壁部に連続して形成され、前記表示パネルおよび前記背面部材の並び方向に延びる第２壁部とを有しても良い。
【００１４】
これによれば、第１壁部が、表示パネルの背面側において、スピーカの周囲のうちの、表示パネルの側方の第１方向以外の部分に設けられる。また、第１壁部と連続して形成される第２壁部が、表示パネルおよび背面部材の並び方向に沿って延びる。このため、第１壁部および第２壁部により、導音空間の音を導く方向以外の方向に音が進行することを防ぐことができる。
【００１５】
また、例えば、前記固定部材は、前記壁部において、前記表示パネルと前記背面部材とにより挟み込まれることにより固定されても良い。
【００１６】
このため、例えば、表示パネルおよび背面部材の並び方向に垂直な方向に移動することを規制するための規制部を設けることのみで、固定部材を所望の位置に固定することができる。これにより、ビス、リベット等の締結部材、接着剤などを利用しなくても、固定部材を容易に固定することができる。
【００１７】
また、壁部は、固定部材の背面部および側面部と、背面部材との間の間隔を壁部の高さ分だけ維持するための規制部として機能する。このため、固定部材と背面部材との間に導音空間を容易に設けることができる。
【００１８】
また、例えば、前記固定部材および前記背面部材は、前記壁部において密着していても良い。
【００１９】
このため、導音空間を通過した音が導音空間から放出される出口以外の部分を密閉された状態とすることができる。これにより、スピーカから放出された音を、表示パネルの前側に向けて効率よく放出させることができる。
【００２０】
また、例えば、前記固定部材および前記背面部材は、前記壁部においてクッション部材を介して密着しても良い。
【００２１】
このため、壁部における固定部材および背面部材の形状に誤差が生じて、密閉させることが難しい形状であっても、固定部材および背面部材に形成される壁部の部分を密閉させることができる。つまり、クッション部材は、固定部材および背面部材を壁部において合わせたときに、固定部材および背面部材の形状が壁部において隙間が生じる形状であっても、当該隙間を埋めることができる。これにより、導音空間の出口以外の部分を密閉空間とさせることが容易にでき、スピーカから放出された音を、表示パネルの前側に向けて効率よく放出させることができる。
【００２２】
また、例えば、前記導音空間は、出口側に行く程、広く形成されていても良い。
【００２３】
このため、スピーカから放出された音を、表示パネルの前側に向けて効率よく放出させることができる。
【００２４】
また、例えば、前記前面部材は、前記表示パネルの少なくとも外周部を覆うとともに、前記前面部材の一部が前記導音空間の出口側に配置され、前記前面部材の前記一部には、開口部が形成されても良い。
【００２５】
このため、前面部材が導音空間の出口に配置される場合であっても、導音空間により導かれた音を効率よく表示パネルの前側に放出させることができる。
【００２６】
また、例えば、前記開口部は、前側に行く程大きくなっても良い。
【００２７】
また、例えば、前記表示パネルは矩形状であり、前記前面部材および前記固定部材は、前記表示パネルの表示面の外周の辺のうち、前記第１方向側に位置する辺が延びる方向に前記固定部材が移動することを規制する規制部を有しても良い。
【００２８】
これにより、容易に固定部材を固定することができる。
【００２９】
また、例えば、前記背面部材は、前記導音空間を形成する部分が前記導音空間を形成しない他の部分よりも剛性が大きくても良い。
【００３０】
これにより、背面部材のうち、少なくとも導音空間を形成する部分は、剛性が大きい部材で形成される。このため、導音空間はスピーカから導音空間に放出された音を効率よく表示パネルの前側に導くことができる。
【発明の効果】
【００３１】
本発明によると、表示パネルの後方に配置されたスピーカから放出された音を、効率よく表示パネルの前側に導くことができる。
【図面の簡単な説明】
【００３２】
【図１Ａ】図１Ａは、本実施の形態における表示装置を前面側から視た正面図である。
【図１Ｂ】図１Ｂは、本実施の形態における表示装置を背面側から視た背面図である。
【図２】図２は、本実施の形態における背面部材を除いた表示装置を背面側から視た背面図である。
【図３】図３は、本実施の形態における表示装置から背面部材を分解した分解斜視図である。
【図４】図４は、図１Ａにおける表示装置のＩＶ−ＩＶ断面図である。
【図５】図５は、本実施の形態における表示装置の背面部材を除いたスピーカユニットの部分を背面側から視た斜視図である。
【図６Ａ】図６Ａは、本実施の形態の変形例における背面部材を除いた表示装置のスピーカの固定部材の規制部の部分の斜視図である。
【図６Ｂ】図６Ｂは、本実施の形態の変形例における表示装置のスピーカの固定部材の規制部の部分に背面部材を被せた状態を示す斜視図である。
【図７】図７は、本実施の形態の変形例における表示装置の背面部材を除いたスピーカ部分の斜視図である。
【発明を実施するための形態】
【００３３】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３４】
（実施の形態）
図１Ａは、本実施の形態における表示装置を前面側から視た正面図である。図１Ｂは、本実施の形態における表示装置を背面側から視た背面図である。図２は、本実施の形態における背面部材を除いた表示装置を背面側から視た背面図である。図３は、本実施の形態における表示装置から背面部材を分解した分解斜視図である。
【００３５】
表示装置１００は、入力された画像を表示し、または、入力された音を発生することが可能な表示装置であり、例えば、テレビ、スピーカが内蔵されたモニタなどである。
【００３６】
図１Ａ、図１Ｂ、図２、および図３に示すように、表示装置１００は、表示パネル１０と、スピーカユニット２０と、筐体３０と、スタンド４０とを備える。
【００３７】
表示パネル１０は、液晶パネル、プラズマパネル、有機ＥＬ（Ｅｌｅｃｔｒｏ  Ｌｕｍｉｎｅｓｃｅｎｃｅ）パネルなどで構成され、入力された画像を前面に表示する。なお、ここに言う「入力された画像」とは、放送波を受信したチューナから入力された画像も含む。また、表示パネル１０の画像を表示する側を前側とし、その反対側を後側とし、前後方向をＸ軸方向と定義する。
【００３８】
スピーカユニット２０は、表示パネル１０の下側の２箇所の領域（図１Ａ、図１Ｂ、および図２の破線で示す領域）に設けられる。スピーカユニット２０はまた、表示パネル１０と後述する筐体３０の背面部材３２との間に設けられる。なお、本実施の形態の表示装置１００では、２つのスピーカユニット２０の並び方向を左右方向とし、左右方向をＹ軸方向と定義する。
【００３９】
筐体３０は、表示パネル１０の外周部を前面側から覆う前面部材３１と、表示パネル１０を背面側から覆い、かつ、前面部材に接合される背面部材３２とを有する。筐体３０は、表示パネル１０およびスピーカユニット２０を内部に収容する。
【００４０】
スタンド４０は、表示パネル１０および筐体３０の少なくとも一方を支える支持部４１と、支持部４１に接続されＸ軸方向およびＹ軸方向に拡がる板状の台座部４２とを有する。なお、本実施の形態の表示装置１００では、支持部４１の延びる方向を上下方向とし、上下方向をＺ軸方向と定義する。ここで、Ｘ軸方向、Ｙ軸方向、およびＺ軸方向は、それぞれが互いに直交する方向である。なお、Ｘ軸方向、Ｙ軸方向、およびＺ軸方向は、それぞれが互いに交差していれば良く、厳密に直交していなくても良い。
【００４１】
図４は、図１Ａにおける表示装置のＩＶ−ＩＶ断面図である。図５は、本実施の形態における表示装置の背面部材を除いたスピーカユニットの部分を背面側から視た斜視図である。
【００４２】
スピーカユニット２０は、図４および図５に示すように、スピーカ２１と、固定部材２２と、クッション部材２３とを有する。
【００４３】
スピーカ２１は、入力された音を発生する。本実施の形態では、１つのスピーカユニット２０に対して２つのスピーカ２１が設けられる。
【００４４】
固定部材２２は、表示パネル１０の後方に向けて２つのスピーカ２１の音が放出されるように、表示パネル１０と筐体３０の背面部材３２との間に２つのスピーカ２１を固定する。固定部材２２は、第１背面部５１と、第１側面部５２と、壁部５３と、板部５４とを有する。
【００４５】
第１背面部５１は、表示パネル１０の背面側の一部である図１Ａ、図１Ｂ、および図２で示す破線の領域を覆い、かつ、２つのスピーカ２１が固定される固定部材２２の一部である。
【００４６】
第１側面部５２は、第１背面部５１に連続して形成され、表示パネル１０の側面側（側方）の一部を覆う固定部材２２の一部である。
【００４７】
壁部５３は、第１壁部５３ａと第２壁部５３ｂとを有する。第１壁部５３ａは、表示パネル１０の背面側において、２つのスピーカ２１の周囲のうちの、第１方向Ｄ１以外の部分に設けられる。要するに、第１壁部５３ａは、２つのスピーカ２１の周囲の四方のうちの第１方向Ｄ１以外の三方を囲う。なお、「２つのスピーカ２１の周囲」とは、１つのスピーカ２１ごとの周囲ではなく、２つのスピーカ２１を１つのスピーカ群としたときのスピーカ群の周囲である。第２壁部５３ｂは、表示パネル１０の側方において、第１壁部５３ａに連続して形成され、表示パネル１０および背面部材３２の並び方向（つまり、前後方向）に沿って延びる。
【００４８】
クッション部材２３は、固定部材２２の壁部５３と背面部材３２との間に設けられ、固定部材２２と背面部材３２とを密着させるための、ゴム状またはスポンジ状の弾性を有するシール部材である。つまり、固定部材２２および背面部材３２は、壁部５３においてクッション部材２３を介して密着している。そして、固定部材２２は、壁部５３において、表示パネル１０と背面部材３２とにより挟み込まれることにより固定される。
【００４９】
板部５４は、固定部材２２の第１側面部５２の前側の端部からＹ軸方向の両側へ向かって拡がる板状の部材であり、貫通孔５４ａを有する。また、筐体３０の前面部材３１は、固定部材２２の第１側面部５２と接触する部分のＹ軸方向両側の位置において後方に向かって突出する突出部３１ｂが設けられる。固定部材２２は、板部５４の貫通孔５４ａが前面部材３１の突出部３１ｂにより貫通されることにより、Ｙ軸方向の位置が規制される。つまり、板部５４および突出部３１ｂは、前面部材３１および固定部材２２に設けられ、かつ、表示パネル１０の表示面（前面）の外周の辺のうち、第１方向Ｄ１側に位置する辺が延びる方向（つまりＹ軸方向）に固定部材２２が前面部材３１に対して移動することを規制する規制部である。
【００５０】
固定部材２２および背面部材３２は、図４に示すように、導音空間Ｓ１を形成している。導音空間Ｓ１は、スピーカ２１から放出される音を表示パネル１０の側方である第１方向Ｄ１（下方向）に導き、かつ、第１方向Ｄ１に導いた音をさらに表示パネル１０の前側の第２方向Ｄ２（前方向）に導く空間であり、固定部材２２および背面部材３２の間に形成される。具体的には、導音空間Ｓ１は、背面部材３２が固定部材２２の表示パネル１０の側とは反対側を覆うことにより形成される。
【００５１】
なお、背面部材３２は、第２背面部６１と、第２側面部６２と、曲面部６３とを有する。第２背面部６１は、固定部材２２の第１背面部５１に対向する背面部材３２の一部である。つまり、第２背面部６１は、スピーカユニット２０の後方を覆う対向領域３２ａである。第２側面部６２は、固定部材２２の第１側面部５２に対向する背面部材３２の一部である。つまり、第２側面部６２は、スピーカユニット２０の下方を覆う。曲面部６３は、第２背面部６１および第２側面部６２を曲率半径Ｒで接続する曲面状の背面部材３２の一部である。背面部材３２は、さらに、第２側面部６２において、第２側面部６２から固定部材２２側に突出しており、固定部材２２の第２壁部５３ｂと密着する壁部６４を有する。
【００５２】
要するに、導音空間Ｓ１は、背面部材３２が固定部材２２の表示パネル１０の側とは反対の側を覆い、かつ、背面部材３２と固定部材２２との間に上述したような第１壁部５３ａ、第２壁部５３ｂ、および壁部６４が形成されることにより、形成されている。つまり、導音空間Ｓ１は、固定部材２２と背面部材３２との間の空間であって、スピーカ２１の周囲のうちのスピーカ２１から放出される音を導く方向以外の部分が第１壁部５３ａ、第２壁部５３ｂ、および壁部６４により密閉される空間である。
【００５３】
また、背面部材３２の第２背面部６１（対向領域３２ａ）は、表示パネル１０に対して平行である。そして、固定部材２２は、仮想面Ａ１が表示パネル１０に対して傾斜するように、スピーカ２１を保持する。つまり、導音空間Ｓ１では、背面部材３２のうちのスピーカ２１に対向する対向領域３２ａと、スピーカ２１から放出される音の放出方向Ｄ３に対して垂直な仮想面Ａ１とが、前記放出方向が前記第１方向側を向くように交差する。
【００５４】
導音空間Ｓ１はまた、導音空間Ｓ１の出口に向かう程、広く形成されている。具体的には、導音空間Ｓ１は、図４に示すように、間隔Ｗ１よりも、間隔Ｗ２の方が大きくなるように形成されている。間隔Ｗ１は、スピーカ２１がある領域における固定部材２２の第１背面部５１と背面部材３２との間隔である。間隔Ｗ２は、導音空間Ｓ１の出口に近い固定部材２２の第１背面部５１および第１側面部５２の境界付近の部分と背面部材３２との間隔である。さらに、導音空間Ｓ１は、図４に示すように、間隔Ｗ２よりも、導音空間Ｓ１の出口付近における固定部材２２の第１側面部５２と背面部材３２との間隔Ｗ３の方が大きくなるように形成されている。つまり、第１背面部５１と第２背面部６１とは、第１方向Ｄ１に向かう程、第１背面部５１と第２背面部６１との間隔が拡がるように構成される。また、第１側面部５２と第２側面部６２とは、第２方向Ｄ２に向かう程、第１側面部５２と第２側面部６２との間隔が拡がるように構成される。
【００５５】
また、前面部材３１は、表示パネル１０の外周部を覆うとともに、前面部材３１の一部が導音空間Ｓ１の出口側に配置される。そして、導音空間Ｓ１の出口側に配置される前面部材３１の一部には、複数の開口部３１ａが形成される。なお、開口部３１ａは、複数でなくてもよく、１つであってもよい。
【００５６】
本実施の形態に係る表示装置１００によれば、スピーカ２１により表示パネル１０の後方に向けて放出される音が、導音空間Ｓ１により、表示パネル１０の側方の第１方向Ｄ１に導かれる。そして、導音空間Ｓ１により第１方向Ｄ１に導かれた音は、さらに表示パネル１０の前側の第２方向Ｄ２に向けて導かれる。そして、導音空間Ｓ１において、少なくとも、背面部材３２のうちのスピーカ２１に対向する対向領域３２ａと、スピーカ２１から放出される音の放出方向Ｄ３に対して垂直な仮想面Ａ１とが、放出方向Ｄ３が第１方向Ｄ１側を向くように交差する。
【００５７】
このため、導音空間Ｓ１は、スピーカ２１により放出された音が進む放出方向Ｄ３と、対向領域とが、第１方向Ｄ１側が鈍角になるように交差する。つまり、スピーカ２１により放出された音は、対向領域３２ａにおいて、第１方向Ｄ１に向けて反射されやすい。これにより、表示パネル１０の後方に向けてスピーカ２１から放出された音は、第１方向Ｄ１に向けて導かれやすくなる。また、導音空間Ｓ１は、第１方向Ｄ１に向けて効率よく導いた音を、さらに、前方の第２方向Ｄ２に向けて導いているため、スピーカ２１から表示パネル１０の後方に放出された音を、表示パネル１０の前側に向けて効率よく放出できる。
【００５８】
また、表示装置１００では、上述したような導音空間Ｓ１が形成されているため、スピーカ２１を、表示パネル１０の側方ではなく後方に配置しても効率よく前方にスピーカ２１から放出された音を導くことができる。このため、表示装置１００では、スピーカ２１を配置するための表示パネル１０の側方のスペースを省略することができる。これにより、表示装置１００の表示パネル１０のＸ軸方向から視たときのサイズを小さくすることができる。
【００５９】
また、本実施の形態に係る表示装置１００によれば、固定部材２２および背面部材３２の間に、導音空間の音を導く方向である第１方向Ｄ１および第２方向Ｄ２以外の方向に音が進行することを防ぐ壁部５３、６４を有する。このため、表示装置１００では、導音空間Ｓ１がスピーカ２１から導音空間Ｓ１の内部に放出された音を、効率よく表示パネルの前側に向けて導くことができる。
【００６０】
また、本実施の形態に係る表示装置１００によれば、第１壁部５３ａが、表示パネル１０の背面側において、スピーカ２１の周囲のうちの、表示パネル１０の側方の第１方向Ｄ１以外の部分に設けられる。また、第１壁部５３ａと連続して形成される第２壁部５３ｂが、表示パネル１０および背面部材３２の並び方向（Ｘ軸方向）に沿って延びる。このため、第１壁部５３ａおよび第２壁部５３ｂにより、導音空間Ｓ１の音を導く方向である第１方向Ｄ１および第２方向Ｄ２以外の方向に音が進行することを防ぐことができる。
【００６１】
また、本実施の形態に係る表示装置１００によれば、固定部材２２は、壁部５３、６４において表示パネル１０と背面部材３２とにより挟み込まれることにより固定される。このため、例えば、表示パネル１０および背面部材３２の並び方向（Ｘ軸方向）に垂直な方向（Ｙ軸方向またはＺ軸方向）に移動することを規制するための規制部を設けることのみで、固定部材２２を所望の位置に固定することができる。これにより、ビス、リベット等の締結部材、接着剤などを利用しなくても、固定部材２２を容易に固定することができる。
【００６２】
また、本実施の形態に係る表示装置１００によれば、壁部５３、６４は、固定部材２２の第１背面部５１および第１側面部５２と、背面部材３２との間の間隔を壁部５３、６４の高さ分だけ維持するための規制部として機能する。このため、固定部材２２と背面部材３２との間に導音空間Ｓ１を容易に設けることができる。
【００６３】
また、本実施の形態に係る表示装置１００によれば、固定部材２２および背面部材３２は、壁部５３、６４において密着している。このため、導音空間Ｓ１を通過した音が導音空間Ｓ１から放出される出口以外の部分を密閉された状態とすることができる。これにより、スピーカ２１から放出された音を、表示パネル１０の前側に向けて効率よく放出させることができる。
【００６４】
また、本実施の形態に係る表示装置１００によれば、固定部材２２および背面部材３２は、壁部５３、６４においてクッション部材２３を介して密着している。このため、壁部５３、６４における固定部材２２および背面部材３２の形状に誤差が生じて、密閉させることが難しい形状であっても、固定部材２２および背面部材３２に形成される壁部５３、６４の部分を密閉させることができる。これにより、導音空間Ｓ１の出口以外の部分を密閉空間とさせることが容易にでき、スピーカ２１から放出された音を、表示パネル１０の前側に向けて効率よく放出させることができる。
【００６５】
以上、本発明の実施の形態に係る表示装置について説明したが、本発明は、この実施の形態に限定されるものではない。
【００６６】
上記実施の形態に係る表示装置１００では固定部材２２に貫通孔５４ａが設けられた板部５４と、前面部材３１に設けられた突出部３１ｂとが組み合わせられることにより、固定部材２２のＹ軸方向の位置を規制する規制部として機能しているがこの形態に限らない。規制部の変形例について、以下に、図６Ａおよび図６Ｂを用いて説明する。なお、図６Ａは、本実施の形態の変形例における背面部材を除いた表示装置のスピーカの固定部材の規制部の部分の斜視図である。図６Ｂは、本実施の形態の変形例における表示装置のスピーカの固定部材の規制部の部分に背面部材を被せた状態を示す斜視図である。
【００６７】
例えば、図６Ａに示すように、前面部材１３１にビス１７０（図６Ｂ参照）と締結するための筒状のボス部１３１ｂを設け、かつ、固定部材１２２のボス部１３１ｂの端面と接触する位置に貫通孔１５４ａを有する板部１５４を設ける。そして、図６Ｂに示すように筐体１３０の背面部材１３２を留めるためのビス１７０を、固定部材１２２の板部１５４に設けられた貫通孔１５４ａを貫通させた上でボス部１３１ｂに打ち込むことで、背面部材１３２を前面部材１３１に接合している。そして、前面部材１３１および背面部材１３２が接合されることにより、固定部材１２２が固定される。なお、背面部材１３２には、ビス１７０の頭を収納するための凹部１３２ａが設けられている。このようにして、前面部材１３１にボス部１３１ｂを設け、ボス部１３１ｂに締結されるビス１７０に貫通される貫通孔１５４ａを有する板部１５４を固定部材１２２に設けることにより、ボス部１３１ｂと板部１５４とを規制部として機能させても良い。
【００６８】
また、上記実施の形態に係る表示装置１００では、１つのスピーカユニット２０に対して２つのスピーカ２１が設けられているが、これに限らずに、例えば、図７に示すような、１つのスピーカ２１が設けられるスピーカユニット２２０としても良い。なお、この場合に、図７に示すように、固定部材２２２は、スピーカ２１に近い位置におけるＹ軸方向の間隔Ｗ１１よりも導音空間の出口側であってスピーカ２１から遠い位置におけるＹ軸方向の間隔Ｗ１２の方が大きくなっている。間隔Ｗ１１および間隔Ｗ２は、表示パネル１０の背面側の一部を覆う第１背面部２５１の外周に沿って形成される第１壁部２５３ａにおけるＹ軸方向の間隔である。このように、導音空間Ｓ２では、Ｙ軸方向の幅が導音空間Ｓ２の出口に向かう程広く形成されている。つまり、導音空間が出口側に行く程広くなる形態は、Ｘ軸方向の幅、Ｙ軸方向の幅、およびＺ軸方向の幅のいずれかが広くなることに限らない。例えば、導音空間の出口側に行く程、図４の白抜き矢印で示す導音路の断面積が大きくなっていれば良く、より効率よくスピーカ２１から発生した音を導音空間の出口（つまり、表示装置１００の前側）に放出させることができる。また、Ｙ軸方向の幅が拡がる導音空間Ｓ２のような形態は、スピーカ２１が１つ設けられるスピーカユニット２２０の場合に限らずにスピーカ２１が複数設けられるスピーカユニットに対しても適用できる。なお、スピーカ２１が複数設けられる場合には、導音空間の導音路の長さが複数のスピーカ２１ごとに等しくすることが好ましい。このように、複数のスピーカ２１を配置することで、複数のスピーカ２１ごとに発生された音を遅延させることなく等しく表示装置１００の前側に導くことができる。また、固定部材２２２は、本実施の形態に係る表示装置１００の固定部材２２と同様に、第１壁部２５３ａに連続する第２壁部２５３ｂが設けられており、第１壁部２５３ａおよび第２壁部２５３ｂを含む壁部２５３が形成されている。そして、壁部２５３の背面側の端部にはクッション部材２２３が設けられる。さらに、固定部材２２２には、本実施の形態に係る表示装置１００の固定部材２２と同様に、固定部材２２２の位置を規制するための貫通孔２５４ａを有する板部２５４が設けられている。固定部材２２２は、板部２５４の貫通孔２５４ａが前面部材３１の突出部３１ｂに貫通されることにより、Ｙ軸方向の位置が規制される。
【００６９】
また、上記実施の形態に係る表示装置１００では、背面部材３２の第２背面部６１（対向領域３２ａ）が、表示パネル１０に対して平行であり、かつ、固定部材２２が、仮想面Ａ１が表示パネル１０に対して傾斜するように、スピーカ２１を保持している。表示装置１００では、このような形態とすることで、導音空間Ｓ１において、対向領域３２ａと、仮想面Ａ１とを、放出方向Ｄ３が第１方向Ｄ１側を向くように交差しているが、これに限らない。
【００７０】
例えば、背面部材の対向領域を、表示パネルに対して傾斜させ、かつ、固定部材が、仮想面が表示パネルに対して平行になるようにスピーカを保持させることにより、背面部材の対向領域と、上記仮想面とを、放出方向Ｄ３が第１方向Ｄ１側を向くように交差させても良い。また、上記の２つの形態では、背面部材３２の対向領域３２ａまたは仮想面Ａ１を表示パネルに対して傾斜させているが、これに限るものではない。例えば、導音空間において、背面部材の対向領域と、仮想面Ａ１とが、放出方向Ｄ３が第１方向Ｄ１側を向くように交差させていれば、対向領域３２ａまたは仮想面Ａ１を表示パネルに対して平行にしなくても良い。
【００７１】
また、仮想面Ａ１が表示パネルと平行になるようにスピーカを固定した上で、表示パネルに平行な全ての方向に行くに従い仮想面Ａ１との間隔が拡がるように傾斜させた形状の背面部材を形成しても良い。この場合には、固定部材は、第１背面部が表示パネルの背面側の全部を覆い、第１側面部が表示パネルの側面側（側方）の全部を覆う。つまり、導音空間は、表示パネルの背面側の全部と側面側の全部とに渡って形成されることになる。
【００７２】
また、上記実施の形態に係る表示装置１００では、スピーカユニット２０は、表示パネル１０の下側の部分に配置されているが、これに限らない。例えば、スピーカユニット２０は、表示装置１００の表示パネル１０の左側の部分に配置されても良いし、右側の部分に配置されても良いし、上側の部分に配置されても良い。また、スピーカユニット２０は、表示パネル１０の側方に導く導音空間を形成できれば、スピーカ２１を表示パネル１０の端部に設けられなくても良く、表示パネル１０の中央付近に配置しても良い。
【００７３】
また、上記実施の形態に係る表示装置１００では、クッション部材２３を設けることにより背面部材３２と固定部材２２との密着を図り、導音空間Ｓ１が密閉されるようにしているが、背面部材３２と固定部材２２との密着を十分に図ることができればクッション部材２３を設けなくとも良い。
【００７４】
また、上記実施の形態に係る表示装置１００では、固定部材２２および背面部材３２の両方にそれぞれ壁部５３および壁部６４が設けられているが、これに限らずに、固定部材２２および背面部材３２のいずれか一方に設けられていれば良い。
【００７５】
また、上記実施の形態に係る表示装置１００では、特に言及していないが、前面部材３１に設けられる開口部３１ａの形状を、前面に行くに従ってＹ−Ｚ平面における開口の断面積が大きくなるように形成しても良い。このように開口部３１ａの形状を形成することにより、本実施の形態に係る表示装置１００のように、前面部材３１の一部が導音空間の出口に配置される場合であっても、導音空間により導かれた音を効率よく表示パネルの前側に放出させることができる。
【００７６】
また、上記実施の形態に係る表示装置１００では、導音空間Ｓ１の出口側に前面部材３１の一部が配置される構成であるが、これに限らずに、前面部材の形状を前面部材の一部が導音空間の出口側に配置されないような形状としても良い。具体的には、前面部材の導音空間の出口側の部分に導音空間の出口の全体に渡る大きさの開口部を設けても良いし、前面部材の導音空間の出口側の部分に導音空間の出口を避けるような切り欠きを設けても良い。このように、前面部材の一部が導音空間の出口側に配置されない形状とすることで、導音空間から放出される音を妨げるものがなくなるため、より効率よく導音空間から表示装置の前側に音を放出させることができる。
【００７７】
また、上記実施の形態に係る表示装置１００では、特に言及していないが、背面部材３２の導音空間Ｓ１を形成する部分である、第２背面部６１、第２側面部６２、および曲面部６３の部分を、背面部材３２の他の部分よりも剛性が大きくなるように構成しても良い。剛性を大きくする構成としては、具体的には、例えば、（ｉ）当該部分の厚みを厚くする、（ｉｉ）当該部分にリブを設ける、（ｉｉｉ）当該部分に金属板（金属シート）を貼り付ける、（ｉｖ）当該部分の素材を剛性の大きい素材（例えば金属、カーボンなど）とすることなどが考えられる。なお、（ｉｉｉ）および（ｉｖ）の場合には、背面部材３２の他の部分の素材は、金属などの合成の大きい素材よりも剛性が小さい素材である例えば樹脂などで構成することが考えられる。これにより、背面部材のうち、少なくとも導音空間を形成する部分は、剛性が大きい部材で形成されるため、導音空間はスピーカから導音空間に放出された音を効率よく表示パネルの前側に導くことができる。
【００７８】
また、上記実施の形態に係る表示装置１００では、前面部材３１は、表示パネル１０の外周部のみを前面から覆う部材であるが、表示パネル１０の表示面の全面を覆う部材であってもよい。この場合には、前面部材を、例えば、ガラスなどの透明な部材で構成することで実現することが考えられる。
【００７９】
さらに、上記実施の形態及び上記変形例をそれぞれ組み合わせるとしても良い。
【産業上の利用可能性】
【００８０】
本発明は、表示パネルの後方に配置されたスピーカから放出された音を、効率よく表示パネルの前側に導くことができる表示装置、例えば、テレビ、モニタなどとして有用である。
【符号の説明】
【００８１】
１０    表示パネル
２０、２２０    スピーカユニット
２１    スピーカ
２２、１２２、２２２    固定部材
２３、２２３    クッション部材
３０、１３０    筐体
３１、１３１    前面部材
３１ａ  開口部
３１ｂ  突出部
３２、１３２    背面部材
３２ａ  対向領域
４０    スタンド
４１    支持部
４２    台座部
５１、２５１    第１背面部
５２    第１側面部
５３、２５３    壁部
５３ａ、２５３ａ  第１壁部
５３ｂ、２５３ｂ  第２壁部
５４、１５４、２５４    板部
５４ａ、１５４ａ、２５４ａ  貫通孔
６１    第２背面部
６２    第２側面部
６３    曲面部
６４    壁部
１００    表示装置
１３１ｂ  ボス部
１３２ａ  凹部
Ａ１    仮想面
Ｄ１    第１方向
Ｄ２    第２方向
Ｄ３    放出方向
Ｓ１、Ｓ２    導音空間
Ｗ１、Ｗ２、Ｗ３、Ｗ１１、Ｗ１２  間隔
【図１Ａ】
2014171049.tif 000003
【図１Ｂ】
2014171049.tif 000004
【図２】
2014171049.tif 000005
【図３】
2014171049.tif 000006
【図４】
2014171049.tif 000007
【図５】
2014171049.tif 000008
【図６Ａ】
2014171049.tif 000009
【図６Ｂ】
2014171049.tif 000010
【図７】
2014171049.tif 000011